(57)【要約】【課題】建物の外壁面の外側に化粧用の単位壁材を組積みして得られる外面化粧壁において、縦筋や横筋等の補強筋を必要とせず、しかも外壁面に確実に連結し、かつ目地モルタルの塗布を容易にして組積みの生産性を向上する。【解決手段】建物の外壁面１０ａの外側に化粧用の単位壁材１２を組積みして得られる外面化粧壁において、単位壁材１２の上面に幅方向の係止溝１２ａを設け、外壁面１０ａにＴ字溝１１ｄ、１１ｅを有する多数本の直線レール１１を並設し、連結具１４として、水平胴部１４ａの一端に横棒状係止部１４ｂを、他端に板状係止部１４ｃをそれぞれ設けたものを用意し、この連結具１４の横棒状係止部１４ｂを直線レール１１のＴ字溝１１ｄ、１１ｅに昇降自在に嵌合し、板状係止部１４ｃを単位壁材１２の係止溝１２ａに挿入し、係合する。【選択図】　　　図１
2004137698.tif 000002
【特許請求の範囲】
【請求項１】
建物の躯体を構成する外壁面の外側に化粧用の単位壁材を組積みし、各単位壁材を外壁面に連結具で連結して得られる外面化粧壁において、上記の外壁面にＴ字溝を有する多数本の直線レールがその長さ方向を上下方向に向け、また上記Ｔ字溝の開口部を外側に向けて所定の横方向間隔で並設され、上記の単位壁材が上面および下面の少なくとも一方に幅方向の係止溝を備え、上記の連結具が水平胴部の一端にＴ字ボルトの頭部状に交差する横棒状係止部を、他端に垂直に交差する板状係止部をそれぞれ備えており、この連結具の横棒状係止部が上記のＴ字溝に昇降自在に嵌合し、板状係止部が上記単位壁材の係止溝に挿入されていることを特徴とする建物の外面化粧壁。
【請求項２】
直線レールが外壁面にスペーサを介して固定されて直線レールと外壁面との間に空所が形成され、この空所に断熱材が詰められた請求項１記載の建物の外面化粧壁。
【請求項３】
単位壁材の係止溝が単位壁材の背面に係止板を貼付けることにより形成された請求項１または２に記載の建物の外面化粧壁。
【請求項４】
単位壁材の係止溝が単位壁材の左右両端部に設けられ、連結具の板状係止部が左右に隣接する２個の単位壁材の係止溝にまたがって挿入される請求項１ないし３のいずれかに記載の建物の外面化粧壁。
【請求項５】
単位壁材の係止溝が単位壁材の上下両面の対向位置に設けられ、連結具の板状係止部が上下に隣接する２個の単位壁材の上下に対向する係止溝にまたがって挿入される請求項１ないし４のいずれかに記載の建物の外面化粧壁。
【発明の詳細な説明】
【０００１】
【発明の属する技術分野】
この発明は、建物の躯体を構成する外壁面を被覆するように化粧壁用のコンクリートブロック、煉瓦、石、パネルその他の単位壁材を組積みして得られる建物の外面化粧壁に関するものである。
【０００２】
【従来の技術】
建物の外壁面を被覆する化粧壁の組積み方法として、建物の外壁面に所定間隔で並設した支柱の外面にアンカー部材を所定間隔で固定し、上記の支柱から外側へ離れた位置に目地モルタルを用いながら煉瓦を上記アンカー部材の高さに積み上げ、次いで上記のアンカー部材と煉瓦とを連結するための連結具として、水平胴部と、その一端から下向きに突出する左右一対の一端フックと、他端から上下に突出する左右一対の他端フックとからなる連結具を用い、その一端フックを上記アンカー部材にあらかじめ設けた左右一対の係合孔に、またその他端フックの下側突出部を上記積み上げ煉瓦の上面左右にあらかじめ穿設されている係合孔にそれぞれ挿入してアンカー部材と煉瓦とを連結し、上記煉瓦の上面に目地モルタルを塗布した後、その上に積まれる煉瓦下面の係合孔に上記他端フックの上側突出部を挿入することが知られている（特開平５−１５６７８６号公報参照）。
【０００３】
上記の特開平５−１５６７８６号公報に記載された方法は、組積み用の煉瓦すなわち単位壁材を組積みする際に縦筋や横筋等の補強筋を使用しないので、単位壁材に補強筋挿通用の孔を形成したり、補強筋挿通後の孔にモルタルまたはコンクリートを打設する必要はない。しかしながら、建物の外壁面に位置する支柱の外面にアンカー部材を固定し、このアンカー部材に連結具を介して単位壁材を連結するものであるから、部品点数が多くなり、また単位壁材の位置、特に組積み高さがアンカー部材の取付け高さで規制されるので、上記の組積み高さを目地モルタルの塗布厚みその他で正確に制御する必要があり、そのため組積み作業に高度の熟練を必要とし、かつ作業能率が低下する等の問題があった。
【０００４】
また、建物の既設壁（外壁面）の外側に化粧パネル、例えば平面上に並べられた多数枚の薄物煉瓦をセメントモルタルで裏打ちしてなる化粧パネルを組積みする方法として、上記化粧パネルの上縁および下縁にそれぞれ係合溝を形成し、またこの化粧パネルと上記の外壁面とを連結するための連結具として、水平胴部の一端に上記外壁面への取付け面を、他端に化粧パネルの係合溝と係合可能な係止部をそれぞれ備えた係止金具を用意し、上記の化粧パネルを積み上げながら、上記連結具（係止金具）の取付け面を外壁面に固定し、また他端の係止部を化粧パネルの下縁または上縁の係合溝に係合させることが知られている（特開平６−５７９１７号公報参照）。
【０００５】
上記の特開平６−５７９１７号公報に記載された方法は、前記の特開平５−１５６７８６号公報に記載された方法と同様に補強筋を必要とせず、しかも化粧パネルを組積みしながら、化粧パネルの横溝に連結具の係止部を係合させ、連結具の取付け面を外壁面に固定することができるため、化粧パネルの高さ方向および幅方向の位置ずれはほとんど問題とならない反面、組積みしながら、連結具を外壁面に釘止めで固定するので、多数枚の薄物煉瓦からなる化粧パネルの場合はともかく、煉瓦その他の壁材を１個ずつ組積みする場合は、作業が面倒で、工数が多くなり、能率が低下する等の問題があった。
【０００６】
【発明が解決しようとする課題】
この発明は、建物の躯体を構成する外壁面の外側にコンクリートブロック、煉瓦、石、パネル等の化粧用の単位壁材を組積みして得られる外面化粧壁において、縦筋や横筋等の補強筋を必要とせず、しかも外壁面に確実に連結し、かつ目地モルタルの塗布を容易にして組積みの生産性を向上し、また必要に応じて若干の部品を追加することにより外断熱を可能にする。
【０００７】
【課題を解決するための手段】
この発明に係る建物の外面化粧壁は、建物の躯体を構成する外壁面の外側に化粧用の単位壁材を組積みし、各単位壁材を外壁面に連結具で連結して得られる外面化粧壁において、上記の外壁面にＴ字溝を有する多数本の直線レールがその長さ方向を上下方向に向け、また上記Ｔ字溝の開口部を外側に向けて所定の横方向間隔で並設され、上記の単位壁材が上面および下面の少なくとも一方に幅方向の係止溝を備え、上記の連結具が水平胴部の一端にＴ字ボルトの頭部状に交差する横棒状係止部を、他端に垂直に交差する板状係止部をそれぞれ備えており、この連結具の横棒状係止部が上記のＴ字溝に昇降自在に嵌合し、板状係止部が上記単位壁材の係止溝に挿入されていることを特徴とする。
【０００８】
上記の直線レールは、横断面がＴ字形の溝、すなわち表面の開口部に比べて内部空間が幅方向に広がって形成された溝を備えたものであり、この溝には内部空間が断面台形のアリ溝が含まれるが、これらの直線レールは、好ましくは、金属板の曲げ加工で作られる。
【０００９】
また、上記の連結具は、外壁面と単位壁材との距離を設定する水平胴部と、その一端にＴ字ボルトの頭部と同様に交差する横棒状係止部と、他端に垂直に交差する板状係止部とからなり、水平胴部の少なくとも一端は直線レールの開口部よりも狭い幅の首部を構成し、この首部が上記横棒状係止部の中央に接続されていて横棒状係止部がＴ字ボルトの頭部と同様の機能を有するものである。したがって、横棒状係止部は、長さ方向を直線レールのＴ字溝と平行に向けると、このＴ字溝の狭い開口部から広い内部空間に挿入することができ、挿入後に胴部を持って横棒状係止部を９０度回すことにより、横棒状係止部がＴ字溝の開口部の縁と係合し、連結具が直線レールに対して昇降自在に取付けられる。なお、この連結具は、板金加工または合成樹脂の成形によって作ることができる。
【００１０】
上記の外面化粧壁は、常法にしたがって、建物の外壁面から所定の距離に化粧用の単位壁材を組積みし、その１段ごとに上記単位壁材の上面や側面に目地モルタルを塗布しながら、所定の高さに積み上げることによって構築される。ただし、この発明では、建物の外壁面に上記の直線レールを所定間隔で固定し、しかるのち上記の組積みを行い、その１段ごとに上記直線レールに連結具の横棒状係止部を嵌合して所望の高さに滑らせ、連結具の板状係止部を単位壁材の上面または下面の少なくとも一方の係止溝に挿入することによって各単位壁材を上記外壁面の直線レールと連結し、上記の連結具が単位壁材と接する部分を上記の目地モルタルで被覆する。この場合、連結具が直線レールに対して昇降自在であるため、目地モルタルの塗布厚みにバラツキがあっても、連結具の水平胴部を水平に保つことができ、何ら支障が生じない。なお、単位壁材の組積み位置は、直線レールの前面と接する位置または離れた位置のいずれでもよい。
【００１１】
上記単位壁材の係止溝は、単位壁材の上面、下面の一方または両方に、幅方向の全域にわたって、または中央部や端部などに部分的に設けることができる。そして、単位壁材の上面に係止溝を設けた場合は、水平胴部の他端に板状係止部を下向きに設けた連結具が使用され、また単位壁材の下面に係止溝を設けた場合は、水平胴部の他端に板状係止部を上向きに設けた連結具が使用され、また単位壁材の上下両面に係止溝を設けた場合は、水平胴部の他端に板状係止部を上向きおよび下向きの両方に設けた連結具が使用される。
【００１２】
上記の直線レールは、外壁面に直接固定する代わりに、スペーサを介して固定し、直線レールと外壁面との間に空所を形成し、この空所に断熱材を詰め、いわゆる外断熱を行うことができる。上記のスペーサは、直線レールと外壁面との間に断熱材を詰めるだけの空所を形成できるものであれば任意であり、例えば、外壁面に多数個のアームを水平に突設し、このアームの先端に幅方向に長い水平バーを複数段に固定してこれら複数段の水平バーに上記の直線レールを固定するようにしたものが挙げられる。
【００１３】
また、前記単位壁材の係止溝は、単位壁材の上面、下面の一方または両方に直接凹設する代わりに、単位壁材の背面に係止板を貼付けることによって形成することができ、この場合は、単位壁材の厚みが比較的薄い場合に単位壁材の強度低下を防ぐことができる。なお、上記の係止板は、上記の係止溝と同様に連結具の板状係止部を上または下から挿入して係止可能なものであれば、材質、形状および構造は任意である。
【００１４】
また、上記単位壁材の係止溝は、直接凹設した場合または係止具の貼付けで形成した場合のいずれにおいても、単位壁材の左右両端部に設け、すなわち上面、下面の一方または両方の係止溝を単位壁材の両端面に開口させ、連結具の板状係止部を左右に隣接する２個の単位壁材の係止溝にまたがって挿入することができ、この場合は、左右の単位壁材を互いに連結し、同時に建物の外壁面に連結することができる。
【００１５】
また、上記単位壁材の係止溝は、直接凹設した場合または係止具の貼付けで形成した場合のいずれにおいても、単位壁材の上下両面の対向位置に設け、連結具として板状係止部が水平胴部に対し上向きおよび下向きの両方に突出するものを用い、この板状係止部を、上下に隣接する２個の単位壁材の上下に対向する係止溝にまたがって挿入することができ、この場合は、上下の単位壁材を互いに連結し、同時に建物の外壁面に連結することができる。
【００１６】
【発明の実施の形態】
実施形態１
図１において、１０は建物の躯体を構成する外壁、１０ａは外壁面であり、この外壁面１０ａに上下方向の直線レール１１が多数本、所定の間隔で並設されている。この直線レール１１は、板金加工で作られた断面が横に長い長方形の角筒状のものであって、前板１１ａ、左右の側板１１ｂおよび後板１１ｃからなり、前板１１ａの中心線に沿ってスリット状の開口部１１ｄが形成され、この表面の開口部１１ｄと、上記の前板１１ａ、左右の側板１１ｂおよび後板１１ｃで囲まれた内側空所１１ｅとによって断面Ｔ字形のＴ字溝が形成され、上記の後板１１ｃが釘打ちやボルト締め、接着等の任意の手段で上記外壁面１０ａに固定される。なお、上記直線レール１１の後板１１ｃには、図２に示すように、中心線に沿って凹溝１１ｃａを形成し、この凹溝１１ｃａの底１１ｃｂを上記の釘打ち等で外壁面１０ａに固定することができる。
【００１７】
図１において、上記外壁面１０ａの前方の基礎（図示されていない）上に、常法にしたがって、多数の単位壁材１２を組積みして外壁面１０ａと平行な化粧壁が構築される。上記の単位壁材１２は、ほぼ直方体形状に作られており、上面には幅方向の直線状係止溝１２ａが、また上面の前隅に沿って装飾用の段部１２ｂがそれぞれ全幅にまたがって凹設されている。なお、基礎と単位壁材１２との間および単位壁材１２の相互間には目地モルタル１３が塗布または充填される。
【００１８】
上記の直線レール１１と単位壁材１２とを連結する連結具１４は、水平胴部１４ａと、その一端に設けられた横棒状係止部１４ｂと、他端に設けられた板状係止部１４ｃとで構成され、板金加工によって作られている。水平胴部１４ａは、一端側の幅が狭い首部１４ａｂ（図２参照）と、他端側の幅が広い平板部１４ａｃとからなり、首部１４ａｂの幅は、前記直線レール１１の開口部１１ｄの幅よりも狭く設定されている。また、平板部１４ａｃの他端には平板部１４ａｃと同じ幅の板状係止部１４ｃが水平胴部１４ａと直角に交差して下向きに形成されている。
【００１９】
上記の横棒状係止部１４ｂは、水平胴部１４ａの一端にＴ字を形成するように直角に交差してしており、その長さ方向を上下に向けたとき上記直線レール１１の開口部１１ｄに挿入することができ、図示のように水平に向けたとき上記直線レール１１の内側空所１１ｅ内に納まり、左右の前板１１ａの内面と昇降自在に係合するようになっている。なお、この実施形態１では、横棒状係止部１４ｂが水平胴部１４ａとの境界で上向きに曲げられ、直角に起立しているが、下向きに曲げることもできる。
【００２０】
上記単位壁材１２の組積みに際し、最上段に位置する単位壁材１２よりも上方において、直線レール１１に連結具１４の横棒状係止部１４ｂを嵌め込み、直線レール１１の開口部１１ｄと内側空所１１ｅとからなるＴ字溝に沿って連結具１４を下降させ、連結具１４の水平胴部１４ａを単位壁材１２の上面に接触させると、他端の板状係止部１４ｃが単位壁材１２の係止溝１２ａに挿入され、単位壁材１２が連結具１４によって直線レール１１に連結される。
【００２１】
こうして、横一列に並ぶ任意個数の単位壁材１２が直線レール１１に連結されると、これら単位壁材１２の上面、係止溝１２ａおよび横に並ぶ２個の単位壁材１２相互の隙間１５にそれぞれ目地モルタル１３が塗布または充填され、これによって連結具１４の水平胴部１４ａのうち単位壁材１２上面に接する部分および板状係止部１４ｃが上記の目地モルタル１３中に埋没し、目地モルタル１３の固化により上記の連結具１４による連結が固定される。そして、以下この繰返しにより、建物の外面化粧壁が構築される。
【００２２】
なお、図１は、単位壁材１２を千鳥積みした状態を示しており、この場合は、横一列に並ぶ各単位壁材１２の中央部と、隣接する２個の単位壁材１２の隣接部とに対向して直線レール１１が配置され、隣接する２本の直線レール１１の一方および他方がそれぞれ奇数段目および偶数段目の単位壁材１２と連結される。また、芋積みの場合は、横一列に並ぶ各単位壁材１２の中央部に対向して直線レール１１が配置され、各直線レール１１が各段の単位壁材１２と連結され、直線レール１１の本数が千鳥積みの場合の半数となる。
【００２３】
上記の図１において、連結具１４の板状係止部１４ｃを各単位壁材１２の上面係止溝１２ａの中央部に連結する代わりに、横に並ぶ２個の単位壁材１２の上面係止溝１２ａ端部にまたがって連結し、その他は上記同様に芋積みまたは千鳥積みを行って建物の外面化粧壁を構築することができる。
【００２４】
実施形態２
上記の実施形態１において、単位壁材１２の係止溝１２ａを単位壁材１２の下面に形成し、連結具１４の板状係止部１４ｃが上を向くように直線レール１１に取付け、その他は実施形態１と同様に芋積みまたは千鳥積みを行って建物の外面化粧壁を構築する。この場合、連結具１４の板状係止部１４ｃを各単位壁材１２の下面係止溝の中央部に挿入する代わりに、横に並ぶ２個の単位壁材１２の互いに対向する下面係止溝の端部にまたがって挿入し、その他は前記実施形態１と同様に芋積みまたは千鳥積みを行って建物の外面化粧壁を構築してもよい。
【００２５】
実施形態３
図３は、建物の外壁１０のコーナー部における外面化粧壁を示す。１６は、コーナー用の単位壁材であり、平面形状がＬ字形に形成され、その上面両端部に係止溝１６ａが設けられる。また、直線部用単位壁材１７の上面両端部にも同様に係止溝１７ａが設けられる。そして、外壁１０の外壁面１０ａには前記同様に直線レール１１が固定され、この外壁面１０ａのコーナーを囲むようにコーナー用の単位壁材１６および直線部用の単位壁材１７が配列され、直線レール１１に連結具１４の横棒状係止部１４ｂが嵌合され、その板状係止部１４ｃが上記コーナー用単位壁材１６の係止溝１６ａおよびこれに対向する直線部用単位壁材１７の係止溝１７ａにまたがって挿入される。以下、前記同様に目地モルタルの塗布または充填が行われる。
【００２６】
この実施形態３において、上記の係止溝１６ａ、１７ａは、単位壁材１６、１７の下面に設け、この下面の係止溝に上記連結具１４の板状係止部１４ｃを挿入して連結することができる。また、係止溝１６ａ、１７ａを上面と下面の両方に、または上面から下面に達するように端面の全高に設ける一方、連結具１４の下向き板状係止部１４ｃに（図４参照）、鎖線で示すように上記板状係止部１４ｂよりも縦に長い平板１４ｄを固着することにより、上下左右の合計４個の単位壁材１６、１７を１個の連結具１４で直線レール１１に連結することができる。なお、上記の平板１４ｄは、水平胴部１４ａの他端に溶接その他で固着することができる。また、図４の連結具１４は、図３に示したものと同様に、水平胴部１４ａの全体を前記首部１４ａｂの幅に形成したものであってもよい。
【００２７】
実施形態４
図５に示す単位壁材１８は、上面に係止溝１８ａ、１８ｂを断続的に設けたものであり、１８ａが中央の係止溝、１８ｂが端部の係止溝である。そして、これらの係止溝１８ａ、１８ｂは、下面に設けてもよく、また上面から下面に貫通するように設けることもできる。また、中央部および両端部の両方に設けたものを示したが、中央部および両端部のいずれか一方のみに設けることもでき、適当に選択して前記同様に組積みして外面化粧壁とすることができる。
【００２８】
実施形態５
図６に示す単位壁材１９は、その後面中央部および両端部に、それぞれ板金加工で作られた係止板２０および２１を固定したものである。中央部の係止板２０は、左右両端に折曲げで成形された足部２０ａを一体に備え、この足部２０ａを単位壁材１９に貼付けることにより、係止板２０と単位壁材１９との間に係止溝２０ｂが形成される。また、両端部の係止板２１は、上記中央部の係止板２０を左右に二分した形に成形したものであり、左右の一端に折曲げで成形された足部２１ａを一体に備え、この足部２１ａを単位壁材１９に貼付けることにより、係止板２１と単位壁材１９との間に係止溝２１ｂが形成される。
【００２９】
なお、前記連結具１４の板状係止部１４ｃを上下両側の単位壁材１９に連結する場合は、係止板２０および２１を単位壁材１９の全高にまたがる高さに作ることができる。また、前記連結具１４の板状係止部１４ｃを上下の一方から挿入する場合は、上記の係止板２０および２１の上下の片側に底板を形成して補強し、高さを低く設定し、この係止板２０、２１を単位壁材１９の後面の上部および下部の一方または両方に設けることができる。
【００３０】
実施形態６
図７および図８において、前記の直線レール１１は、外壁面１０ａにＬ字形支持具２５とアングル材製の幅方向に長い水平バー２６とからなるスペーサを介して固定される。すなわち、外壁面１０ａに任意間隔で上記のＬ字形支持具２５が一方のアーム部を水平にしてアンカーボルト２７で固定され、横に並ぶ支持具２５の水平アーム部に幅方向に長い水平バー２６の水平な片側ウエブが重ねられてボルト・ナット対２８で接続され、この水平バー２６の下向きに垂直な他側ウエブに前記の直線レール１１がボルト・ナット対２８で固定される。そして、この直線レール１１に前記同様に連結具１４で単位壁材１２が連結され、外壁面１０ａと直線レール１１との間の空所にグラスウール、ロックウール、合成樹脂発泡体等の断熱材が上記のＬ字形支持具２５および水平バー２６を埋めるように充填される。また、上記単位壁材１２と基礎との間および単位壁材１２相互の間隙には、それぞれ目地モルタルが前記同様に塗布または充填される。なお、単位壁材１２と直線レール１１の距離は、任意に設定することができる。
【００３１】
【発明の効果】
上記のとおり、この発明に係る建物の外面化粧壁は、外壁に固定した直線レールに連結具の一端を昇降自在に取付け、その他端の板状係止部を化粧壁用の単位壁材の幅方向係止溝に挿入して係合させるので、単位壁材の高さや水平位置に若干の誤差があっても組積みが可能であり、そのため組積みに熟練を必要とせず、施工を能率的に行うことができる。
【００３２】
また、請求項２に係る発明は、上記の直線レールと外壁面との間にスペーサを介在させることで外断熱を行うことができる。また、請求項３に係る発明は、単位壁材の厚みが薄い場合にも強度低下を招くことがない。また、請求項４に係る発明は、単位壁材を外壁に連結すると同時に左右に隣接する２個の単位壁材を互いに連結することができる。また、請求項５に係る発明は、単位壁材を外壁に連結すると同時に上下に隣接する２個の単位壁材を互いに連結することができる。
【図面の簡単な説明】
【図１】実施形態１の要部の斜視図である。
【図２】直線レールおよび連結具の変形例を示す斜視図である。
【図３】実施形態３の平面図である。
【図４】連結具の変形例を示す斜視図である。
【図５】実施形態４に係る単位壁材の平面図である。
【図６】実施形態５に係る単位壁材の平面図である。
【図７】実施形態６の要部の縦断面図である。
【図８】図７の略示平面図である。
【符号の説明】
１０：建物の外壁、１０ａ：外壁面
１１：直線レール、１１ａ：前板、１１ｂ：側板、１１ｃ：後板
１１ｄ：開口部（Ｔ字溝）、１１ｅ：内側空所（Ｔ字溝）
１２、１６、１７、１８、１９：単位壁材
１２ａ、１６ａ、１７ａ、１８ａ：係止溝
１２ｂ：段部
１３：目地モルタル
１４：連結具、１４ａ：水平胴部、１４ｂ：横棒状係止部、１４ｃ：板状係止部１４ａｂ：首部、１４ａｃ：平板部
２０、２１：係止板、２０ａ、２１ａ：足、２０ｂ、２１ｂ：係止溝
２５：Ｌ字形支持具（スペーサ）
２６：アングル材からなる水平バー（スペーサ）
２７：アンカーボルト、２８：ボルト・ナット対
【図１】
2004137698.tif 000003
【図２】
2004137698.tif 000004
【図３】
2004137698.tif 000005
【図４】
2004137698.tif 000006
【図５】
2004137698.tif 000007
【図６】
2004137698.tif 000008
【図７】
2004137698.tif 000009
【図８】
2004137698.tif 000010